(57)【要約】【課題】  前側引戸、中間引戸、後側引戸を順に引き違い可能に配置し、連動杆で連係させて中間引戸が連動して開閉する構造の３枚引戸キャビネットにおいて、閉止状態の引戸を確実に移動規制し、ピッキング攻撃に対して耐性の高い３枚引戸キャビネットの施錠装置を提供する。【解決手段】  中間引戸２Ｂに設けた上下方向のガイド溝５９に拘束されてスライド変位する可動体６０を有し、可動体に一端を枢支した２本の連動杆６１，６２の端部をそれぞれ右引戸（前側引戸）２Ａと左引戸（後側引戸）２Ｃに枢支し、可動体は、ガイド溝内を転動するコロ６９を有し、コロの軸部７０の端部はガイド溝に沿って設けたガイド孔６８を貫通して先端部を右引戸２Ａの内部に位置し、右引戸にロック用ラッチ７７を回動可能に取付け、施錠操作により回転させたロック用ラッチの係止部８０を軸部先端部に係止する。【選択図】        図１０
2017082448.tif 000002
【特許請求の範囲】
【請求項１】
手前側から奥側へ前側引戸、中間引戸、後側引戸を順に引き違い可能に配置するとともに、その裏面側において３枚の引戸を連動杆で連係させ、前側引戸と後側引戸のどちら側の引戸を開閉しても、中間引戸が連動して開閉する構造の３枚引戸キャビネットにおいて、
前記中間引戸の閉止状態において前記前側引戸と重なる側の側縁に沿って上下方向のガイド溝を形成し、該ガイド溝に拘束されて上下にスライド変位する可動体を有し、該可動体に一端を枢支した２本の連動杆の一方の端部を前側引戸の戸先側に枢支し、他方の連動杆の端部を後側引戸の閉止状態において前記中間引戸と重なる側の側縁に枢支し、
前記可動体は、中央部に前記ガイド溝内を転動するコロを有し、該コロの軸部の一端部が前記ガイド溝の外に延びて前記連動杆の端部を枢着するリンク部となり、軸部の他端部は前記ガイド溝に沿って設けたガイド孔を貫通して先端部を前記前側引戸の内部に位置し、
前記前側引戸の閉止状態において前記中間引戸と重なる側の裏面側端部にロック用ラッチを、前記コロの軸部と平行な支軸にて回動可能に取付け、施錠操作により回転させたロック用ラッチの係止部を前記可動体の軸部の先端部に係止することによって、該可動体の上昇を規制してなることを特徴とする３枚引戸キャビネットの施錠装置。
【請求項２】
前記前側引戸の内側縁部には、表面板の側縁から裏面側に直角に折曲した端面板を有するとともに、該端面板の後端部に内向きに折曲して前記表面板と平行な折曲板を有し、引戸の閉止状態で前記可動体の軸部の先端部に設けたフランジ部が前記前側引戸の折曲板に係止し、前側引戸と中間引戸の重なり部分における隙間拡大を制限してなる請求項１記載の３枚引戸キャビネットの施錠装置。
【請求項３】
前記中間引戸の表面側縁部で前記前側引戸と重なる部分に単数又は複数の係止爪を突設し、引戸の閉止状態で前記係止爪が前記前側引戸の折曲板に係止し、前側引戸と中間引戸の重なり部分における隙間拡大を制限してなる請求項２記載の３枚引戸キャビネットの施錠装置。
【請求項４】
前記前側引戸の閉止状態において前記中間引戸と重なる側の端部で表面板と端面板及び折曲板で囲まれる空間を利用して固定した支持具に、前記コロの軸部と平行な支軸にて前記ロック用ラッチの基部を回動可能に取付け、前記ロック用ラッチを前側引戸の閉止状態において前記中間引戸と重なる側の端部の奥行厚さ内に設けてなる請求項２記載の３枚引戸キャビネットの施錠装置。
【発明の詳細な説明】
【技術分野】
【０００１】
本発明は、３枚引戸キャビネットの施錠装置に係わり、更に詳しくは３枚の引戸が連動して開閉する構造のキャビネットの施錠装置に関するものである。
【背景技術】
【０００２】
従来から、筐体の前面開口部に、複数枚の引戸を奥行方向に平行に配置した複数のレールにそれぞれ横方向移動可能に設けて、各引戸を引き違い可能とし、両側端の引戸に引手を設けるとともに、左右何れか端部の引戸に施錠装置の操作部を設けたキャビネットは各種提供されている。
【０００３】
特に、３枚の引戸をその裏面側において連動杆で連係させ、左右どちら側の引戸を開閉しても、中間引戸が連動して開閉する構造の３枚引戸キャビネットも各種提供されている（特許文献１，２参照）。ここで、３枚引戸構造の場合、右引戸（手間側）、中間引戸（中間側）、左引戸（奥側）とする構造が一般的であり、閉止状態で隣接する引戸の側端部同士は前後に重なるように構成されている。
【０００４】
特許文献１に記載の構造は、２本の連動杆の端部同士を枢着するとともに、該枢着部にローラを設け、該ローラを中間引戸の裏面側縁に沿って形成したガイドに上下方向へ移動可能に支持するとともに、各連動杆の端部を右引戸と左引戸の裏面に枢着し、引戸を開放する際にローラがガイドに沿って上昇する構造である。そして、各引戸が閉止状態で施錠する場合、右引戸に設けた施錠装置の操作部の操作により、前記中間引戸のガイドの溝内に規制軸部が突出して、前記ローラの上昇を規制して、各引戸の移動を規制するというものである。
【０００５】
また、特許文献２に記載の構造は、右引戸の裏面外側端に一端を枢着した１本の連動杆の中間部と他端にローラを設け、中間部のローラを中間引戸の裏面側縁に沿って形成したガイドに上下方向へ移動可能に支持するとともに、他端のローラを左引戸の裏面側縁に沿って形成したガイドに上下方向へ移動可能に支持し、引戸を開放する際に連動杆が傾斜しながら各ローラがガイドに沿って上昇する構造である。そして、各引戸が閉止状態で施錠する場合、左引戸に設けた施錠装置の操作部の操作により、左引戸に設けた係止部材を回転させて連動杆の端部に設けたリブに係止し、該ローラの上昇を規制して、各引戸の移動を規制するというものである。
【０００６】
ここで、閉止状態の各引戸の重なり部分において、手前側の引戸を手前側へ引き、あるいは奥側の引戸を押し込むことにより、引戸が撓んで前後の引戸間の隙間が大きくなり、その隙間から前記施錠装置のロック機構、つまりローラの上昇を規制する構造部分が攻撃され、ロックを解除される恐れがある。各引戸の剛性を高めれば、引戸の変形は少なくなるが、３枚引戸の場合、収納空間の関係上、各引戸の奥行厚さをあまり大きくできないので、それには限界がある。
【０００７】
因みに、特許文献３には、各引戸を、表面板の両側縁を裏面側へ断面略コ字形に折曲して後向係合部を有する構造とし、各引戸の重なり部分において、奥側の引戸の側縁表面側に前記後向係合部に係止する前向係合枠を設けた構造が記載され、閉止状態において後向係合部と前向係合枠が係止して前後の引戸の隙間拡大を防ぐことができる点が開示されている。しかし、この特許文献３に記載のものは、各引戸を連動させる連動杆は存在せず、前記前向係合枠が隣接する引戸を連係して開閉するために設けられた構造である。
【先行技術文献】
【特許文献】
【０００８】
【特許文献１】特許第３３８２８７７号公報
【特許文献２】特許第５２１２９７０号公報
【特許文献３】特許第２７４８０８７号公報
【発明の概要】
【発明が解決しようとする課題】
【０００９】
しかしながら、特許文献１の構造の施錠装置は、ローラの上昇を規制するには、右引戸に設けたストップバーを回転させて、その先端に屈曲形成した規制軸部を中間引戸とガイドに設けた切欠穴を通してガイド内へ突出させるものであるので、施錠状態では右引戸と中間引戸の隙間を規制軸部が通過した状態となり、つまり隙間に規制軸部が露出しているので、ピッキング攻撃され易い。更に、ストップバーが中間引戸を貫通して施錠するため、無理に開閉しようとした際に、ストップバーと中間引戸が衝突して、中間引戸が変形したり、施錠装置が壊れる恐れがある。また、特許文献２の構造の施錠装置は、左引戸の裏面でガイドより後方に連動杆のリブが突出し、該リブに係止するフック部を備えた係止部材が回動可能に露出状態で設けられており、前記同様に前後の引戸の隙間からのピッキング攻撃には無防備である。
【００１０】
そこで、本発明が前述の状況に鑑み、解決しようとするところは、手前側から奥側へ前側引戸、中間引戸、後側引戸を順に引き違い可能に配置するとともに、その裏面側において３枚の引戸を連動杆で連係させ、前側引戸と後側引戸のどちら側の引戸を開閉しても、中間引戸が連動して開閉する構造の３枚引戸キャビネットにおいて、閉止状態において各引戸を確実に移動規制することができるとともに、ピッキング攻撃に対して耐性の高い３枚引戸キャビネットの施錠装置を提供する点にある。
【課題を解決するための手段】
【００１１】
本発明は、前述の課題解決のために、手前側から奥側へ前側引戸、中間引戸、後側引戸を順に引き違い可能に配置するとともに、その裏面側において３枚の引戸を連動杆で連係させ、前側引戸と後側引戸のどちら側の引戸を開閉しても、中間引戸が連動して開閉する構造の３枚引戸キャビネットにおいて、前記中間引戸の閉止状態において前記前側引戸と重なる側の側縁に沿って上下方向のガイド溝を形成し、該ガイド溝に拘束されて上下にスライド変位する可動体を有し、該可動体に一端を枢支した２本の連動杆の一方の端部を前側引戸の戸先側に枢支し、他方の連動杆の端部を後側引戸の閉止状態において前記中間引戸と重なる側の側縁に枢支し、前記可動体は、中央部に前記ガイド溝内を転動するコロを有し、該コロの軸部の一端部が前記ガイド溝の外に延びて前記連動杆の端部を枢着するリンク部となり、軸部の他端部は前記ガイド溝に沿って設けたガイド孔を貫通して先端部を前記前側引戸の内部に位置し、前記前側引戸の閉止状態において前記中間引戸と重なる側の裏面側端部にロック用ラッチを、前記コロの軸部と平行な支軸にて回動可能に取付け、施錠操作により回転させたロック用ラッチの係止部を前記可動体の軸部の先端部に係止することによって、該可動体の上昇を規制してなることを特徴とする３枚引戸キャビネットの施錠装置を構成した（請求項１）。
【００１２】
ここで、前記前側引戸の内側縁部には、表面板の側縁から裏面側に直角に折曲した端面板を有するとともに、該端面板の後端部に内向きに折曲して前記表面板と平行な折曲板を有し、引戸の閉止状態で前記可動体の軸部の先端部に設けたフランジ部が前記前側引戸の折曲板に係止し、前側引戸と中間引戸の重なり部分における隙間拡大を制限してなることが好ましい（請求項２）。
【００１３】
更に、前記中間引戸の表面側縁部で前記前側引戸と重なる部分に単数又は複数の係止爪を突設し、引戸の閉止状態で前記係止爪が前記前側引戸の折曲板に係止し、前側引戸と中間引戸の重なり部分における隙間拡大を制限してなることがより好ましい（請求項３）。
【００１４】
また、前記前側引戸の閉止状態において前記中間引戸と重なる側の端部で表面板と端面板及び折曲板で囲まれる空間を利用して固定した支持具に、前記コロの軸部と平行な支軸にて前記ロック用ラッチの基部を回動可能に取付け、前記ロック用ラッチを前側引戸の閉止状態において前記中間引戸と重なる側の端部の奥行厚さ内に設けてなることも好ましい（請求項４）。
【発明の効果】
【００１５】
以上にしてなる請求項１に係る発明の３枚引戸キャビネットの施錠装置は、手前側から奥側へ前側引戸、中間引戸、後側引戸を順に引き違い可能に配置するとともに、その裏面側において３枚の引戸を連動杆で連係させ、前側引戸と後側引戸のどちら側の引戸を開閉しても、中間引戸が連動して開閉する構造の３枚引戸キャビネットにおいて、前記中間引戸の閉止状態において前記前側引戸と重なる側の側縁に沿って上下方向のガイド溝を形成し、該ガイド溝に拘束されて上下にスライド変位する可動体を有し、該可動体に一端を枢支した２本の連動杆の一方の端部を前側引戸の戸先側に枢支し、他方の連動杆の端部を後側引戸の閉止状態において前記中間引戸と重なる側の側縁に枢支し、前記可動体は、中央部に前記ガイド溝内を転動するコロを有し、該コロの軸部の一端部が前記ガイド溝の外に延びて前記連動杆の端部を枢着するリンク部となり、軸部の他端部は前記ガイド溝に沿って設けたガイド孔を貫通して先端部を前記前側引戸の内部に位置し、前記前側引戸の閉止状態において前記中間引戸と重なる側の裏面側端部にロック用ラッチを、前記コロの軸部と平行な支軸にて回動可能に取付け、施錠操作により回転させたロック用ラッチの係止部を前記可動体の軸部の先端部に係止することによって、該可動体の上昇を規制してなるので、引戸の閉止状態では、前側引戸と中間引戸との隙間には、前記可動体の軸部のみが現れるが、該軸部にピッキング攻撃で外力を加えても、この軸部の強度は高く、前記軸部の先端部に対するロック用ラッチの係止部の係止が解除されることはなく、ピッキング攻撃に対して耐性の高いものとなる。
【００１６】
請求項２によれば、前記前側引戸の内側縁部には、表面板の側縁から裏面側に直角に折曲した端面板を有するとともに、該端面板の後端部に内向きに折曲して前記表面板と平行な折曲板を有し、引戸の閉止状態で前記可動体の軸部の先端部に設けたフランジ部が前記前側引戸の折曲板に係止し、前側引戸と中間引戸の重なり部分における隙間拡大を制限してなるので、引戸の閉止状態では、前記可動体のフランジ部が、前側引戸の折曲板に係止して、前記前側引戸と中間引戸の重なり部分の間隔が広がらないようにしているので、ピッキングされる危険性が少なくなる。
【００１７】
請求項３によれば、前記中間引戸の表面側縁部で前記前側引戸と重なる部分に単数又は複数の係止爪を突設し、引戸の閉止状態で前記係止爪が前記前側引戸の折曲板に係止し、前側引戸と中間引戸の重なり部分における隙間拡大を制限してなるので、引戸の閉止状態では、前記中間引戸の表面側に突設した係止爪が、前側引戸の折曲板に係止して、前記前側引戸と中間引戸の重なり部分の間隔が広がらないようにしているので、ピッキングされる危険性が少なくなる。
【００１８】
請求項４によれば、前記前側引戸の閉止状態において前記中間引戸と重なる側の端部で表面板と端面板及び折曲板で囲まれる空間を利用して固定した支持具に、前記コロの軸部と平行な支軸にて前記ロック用ラッチの基部を回動可能に取付け、前記ロック用ラッチを前側引戸の閉止状態において前記中間引戸と重なる側の端部の奥行厚さ内に設けてなるので、前側引戸と中間引戸との隙間からロック用ラッチへのアクセスが難しくなり、ピッキング攻撃することは困難になる。
【図面の簡単な説明】
【００１９】
【図１】３枚引戸を備えた上段キャビネットの斜視図である。
【図２】上段キャビネットの３枚引戸の閉止状態を、筐体を省略して背面から示した斜視図である。
【図３】引手の表側から見た分解斜視図である。
【図４】同じく引手の裏側から見た分解斜視図である。
【図５】完成状態の引手とラッチ受具との関係を示す一部省略した正面図である。
【図６】同じく引手の中央部で破断して示した斜視図である。
【図７】操作部材を引いてラッチを傾動させた状態の引手の正面図である。
【図８】引手の取付構造と施錠装置を構成するシリンダー錠周りの構造を示す拡大部分斜視図である。
【図９】ラッチ受具の斜視図である。
【図１０】３枚引戸の閉止状態を示し、右引戸と中間引戸の可動体の位置での横断底面図である。
【図１１】３枚引戸の閉止状態を示し、右引戸と中間引戸の係止爪の位置での横断底面図である。
【図１２】ガイド溝を構成する案内部材と可動体及びロック用ラッチとの関係を示す部分斜視図である。
【図１３】３枚引戸の解錠状態におけるロック機構の要部の斜視図である。
【図１４】３枚引戸の施錠状態におけるロック機構の要部の斜視図である。
【図１５】３枚引戸を備えた下段キャビネットの斜視図である。
【図１６】下段キャビネットの３枚引戸の閉止状態を、筐体を省略して背面から示した斜視図である。
【発明を実施するための形態】
【００２０】
次に、添付図面に示した実施形態に基づき、本発明を更に詳細に説明する。図１は、本発明に係る３枚引戸を備えた上段キャビネットＡに設ける引手装置の実施形態を示し、図２〜図７は引手装置の詳細を示し、図中符号１はキャビネット筐体、２は引戸、３は引手、４は引手枠、５は操作部材、６はラッチ部材をそれぞれ示している。
【００２１】
本実施形態のキャビネットは、筐体１の前面開口部に、複数枚の引戸２，…を奥行方向に平行に配置した複数のレールにそれぞれ横方向移動可能に設けて、各引戸２，…を引き違い可能に配置し、それらが連動して開閉する構造のものである。本実施形態の引手装置は、前記キャビネット筐体１の左右両端部に位置する各引戸２の側部（戸先側）であって、上下中間部に設ける。尚、本発明では、前述の３枚の引戸２，…は、手前から奥側へ前側引戸、中間引戸、後側引戸の順に配置した構成であるが、本実施形態では前側引戸を右引戸２Ａとし、中間引戸を中間引戸２Ｂとし、後側引戸を左引戸２Ｃとして説明する。上段キャビネットＡにおいては、前記引手３を右引戸２Ａと左引戸２Ｃの側端縁寄りの下部に設け、後述の施錠装置を構成するシリンダー錠は右引戸２Ａの下部に設けて、開閉操作し易いようにしている。
【００２２】
本実施形態に係る引手３は、キャビネット筐体１等の前面開口部を左右にスライド開閉する引戸２に引手枠４を設け、引手枠４内に設けた操作部材５を変位させてラッチ７を係脱する構造であって、前記引手枠４に設けた前面開放の凹部８内に指を掛けて操作する操作部材５を左右スライド可能に設け、前記凹部８の上下一側にラッチ部材６の基部を軸支するとともに、先端部のラッチ７が引手枠４に接近する方向に弾性付勢してなり、前記ラッチ部材６の側縁に設けた傾斜縁９に、前記操作部材５の端縁部１０が、引戸２を開く操作時に摺接して該ラッチ部材６を係合が解除される方向へ、つまり前記引手枠４に対して外側へ傾動させてなるものである。以降、本実施形態では、右引戸２Ａに設ける引手３について説明する。前記引手３を構成する部材は全て合成樹脂の成形品である。尚、前記引手３の実施形態において、該引手３の正面視における手前側を「表面」、奥側を「裏面」として説明する。
【００２３】
更に詳しくは、前記引手枠４は、正面視において右側に、長方形状の前記凹部８を設け、該凹部８に連続して該凹部８よりも浅い段部１１を形成し、前記操作部材５の一側に一体成形したハ字状に広がった一対のばね脚１２，１２を、前記段部１１上に位置させるとともに、該段部１１の側部の立壁１３に圧接して前記操作部材５を右方向へ弾性付勢し、前記段部１１の上下中央に突設した水平な第１レール１４に前記操作部材５の裏面中央部に形成した水平な第１ガイド溝１５をスライド可能に係合している。
【００２４】
更に、前記引手枠４の前記凹部８と段部１１の間に表裏に貫通した長方形の開口１６を設け、前記操作部材５の指掛け縁１７の奥端からクランク状に裏面側に延びた案内板１８を形成し、前記凹部８の裏面側の上下中央に突設した水平な第２レール１９に、前記開口１６を通して裏側に導いた前記案内板１８の表面側の上下中央に形成した水平な第２ガイド溝２０をスライド可能に係合している。このように、前記第１レール１４と第１ガイド溝１５及び前記第２レール１９と第２ガイド溝２０の２対の直線案内手段によって、しかも前後に位置をずらせているので、極めた直線性が良く、またガタツキなくスライド案内することができる。
【００２５】
更に、前記引手枠４の前記段部１１の表面両側に弾性出没可能な当止爪２１，２１を形成し、該当止爪２１は前記操作部材５の一側縁を当止してスライド移動の終端を規定し、更に前記操作部材５の上下両端に指掛け縁１７側に開放した係合凸部２２，２２を形成するとともに、前記引手枠４の上下部に前記段部１１に連続した係合溝部２３，２３を形成し、前記操作部材５が終端位置で前記係合凸部２２が前記係合溝部２３に係合して抜け止めがなされている。ここで、前記引手枠４に前記操作部材５を組み付けるには、前記ばね脚１２，１２を前記立壁１３に圧接して押し縮めながら、前記当止爪２１，２１を強制的に押し下げれば、前記操作部材５を通常のスライド移動の終端よりも更に後退させることができ、その状態で前記係合凸部２２を係合溝部２３に係合させた後、前記当止爪２１，２１を開放すれば突出して、操作部材５の一側縁を当止するので、通常の使用状態で操作部材５が脱落することがないのである。
【００２６】
ここで、前記引手枠４に前記操作部材５を組み付ける際に、前記ばね脚１２，１２を過度に変形させて塑性変形するのを防止するために、両ばね脚１２，１２の付け根部分に前記立壁１３に当接する規制板２４を左側へ突出させて形成してあり、前記第１ガイド溝１５は、主に前記規制板２４の裏面に形成している。
【００２７】
また、前記ラッチ部材６は、基部２５に軸孔２６を形成してあり、前記引手枠４の前記立壁１３の近傍の上部に水平に突設した支軸２７に前記軸孔２６を回動可能に嵌挿し、右側に延びた先端部のラッチ７が上下方向に傾動可能としている。また、前記ラッチ部材６には、略直角方向に弓状に湾曲して延びたばね片２８を一体成形してあり、該ばね片２８を前記立壁１３と側縁板２９の間の空間に収容して保持し、前記ラッチ７が常時引手枠４に接近する方向、つまり凹部８を設けた中央側へ弾性付勢している。前記ばね片２８を収容する空間には、部分的に前記立壁１３と側縁板２９の頂部間に閉塞板３０，３０を設け、前記ばね片２８の脱落を防止し、もって前記支軸２７に軸孔２６が嵌挿した状態を維持するのである。尚、前記支軸２７は下部の対称な位置にも突設してあり、左端の引戸２に設ける引手３では、前記引手枠４を１８０°回転させた姿勢、つまり上下反転させた状態で使用するので、その場合、下部に設けた支軸２７が上部に来るのでそれを使用する。
【００２８】
図５は引手３の通常の状態を示し、右側に筐体１の側框部が位置し、該側框部の係合孔に前記ラッチ７が係合した状態である。ここで、前記ラッチ部材６の先端側側縁に突起３１を設け、該突起３１を引手枠４の凹部８の上下部側面に当止している。図７は、前記引手枠４の凹部８に指を差し入れて、前記操作部材５の指掛け縁１７に指を掛けて左側へ引いた状態を示し、前記操作部材５を引くと、該操作部材５は前記ガイド手段で案内されて、前記両ばね脚１２，１２の弾性付勢力に抗してスライド移動する。前記操作部材５が左側へスライド移動すると、前記端縁部１０が前記ラッチ部材６の傾斜縁９に摺接しながら該ラッチ部材６は支軸２７を中心に回動し、先端側のラッチ７が上方へ傾動する。それによって、右側に筐体１の側框部に係合していた前記ラッチ７が係合孔から外れて、右端の引戸２を左方向へ開くことができる。
【００２９】
本実施形態の３枚の引戸２，…の構造を、図２、図８及び図１０に基づいて簡単に説明する。前記右引戸２Ａは、表面板３２の両側縁を裏面側に直角に折曲して端面板３３，３３を形成してあり、外側の端面板３３の奥行幅を大きく設定し、後述の施錠装置を構成するシリンダー錠を取付けるための空間を確保している。また、前記右引戸２Ａの外側の端面板３３の後端部には、断面略コ字形に折り返して補強縁３４を形成するとともに、内側の端面板３３の後端部には、内向きに折曲して前記表面板３２と平行な折曲板３５を形成している。前記中間引戸２Ｂは、表面板３６の両側縁を裏面側に直角に折曲して端面板３７，３７を形成するとともに、両端面板３７の後端部には、内向きに折曲して前記表面板３６と平行な折曲板３８，３８を形成している。一方、前記左引戸２Ｃは、表面板３９の外側縁を裏面側に直角に折曲して端面板４０を形成するとともに、表面板３９の内側縁を表面側に直角に折曲して端面板４０を形成し、各端面板４０の端部を内向きに折曲して前記表面板３９と平行な折曲板４１を形成している。
【００３０】
次に、前記引手３を右引戸２Ａと左引戸２Ｃに取付ける構造を、図１、図２、図５及び図８に基づいて簡単に説明する。前記右引戸２Ａには、表面板３２の外側縁部寄りの下部に前記引手３の引手枠４及び操作部材５が臨む引手開口部４２を形成するとともに、該表面板３２の裏面で前記引手開口部４２の周囲に保持金具４３を固定している。そして、前記保持金具４３の上下縁に設けた支持板４４，４４の間に前記引手枠４を表面板３２の裏面中央側から嵌挿し、該支持板４４に形成した係合孔４５に前記引手枠４の上下縁部に弾性的に突設した係合爪４６を抜け止め係合させて前記引手３を取付ける。この際、前記端面板３３には、前記引手３のラッチ部材６の先端部が臨むとともに、先端部のラッチ７が係合するラッチ受具４７が進入する開口４８を形成している。また、前記開口４８は、引戸開閉時における前記ラッチ部材６の先端部の傾動を妨げない大きさになっている。また、前記引手枠４を前記保持金具４３に嵌着した際に、該引手枠４の側部に突設した突台４９が前記右引戸２Ａの端面板３３の内面に当接するようにして、引手３の取付時における位置決めと、ガタツキのない保持状態を実現している。また、前記左引戸２Ｃに前記引手３を取付ける構造も同様である。
【００３１】
ここで、前記ラッチ受具４７は、図５及び図９に示すように、前記筐体１の側框部５０に形成した引戸係合溝５１の底面板５２に嵌着する本体部５３と、前記ラッチ７に係合する爪部５４とを有する合成樹脂成形品である。前記引戸係合溝５１の底面板５２には、角孔５５が形成されており、前記ラッチ受具４７の本体部５３には、前記角孔５５内に嵌合する嵌合部５６と、該角孔５５の孔縁表側に当止する鍔部５７を有するとともに、前記嵌合部５６の両側面に内外に弾性変形する係合爪５８，５８を形成している。そして、前記ラッチ受具４７の嵌合部５６を前記角孔５５内に嵌合すると同時に、両係合爪５８，５８を前記角孔５５の孔縁裏側に抜け止め状態で係合させて取付ける。ここで、前記ラッチ受具４７の爪部５４は、前記引戸係合溝５１からの突出量を少なくして、あるいは前記引戸係合溝５１内に収めて配置することにより、該爪部５４の破損を防止し、また邪魔にならないようにしている。
【００３２】
次に、本発明に係る３枚引戸の連動機構を図２に基づいて説明する。前記中間引戸２Ｂの右側縁（閉止状態において右引戸２Ａと重なる側の側縁）に沿って上下方向のガイド溝５９を形成し、該ガイド溝５９に拘束されて上下にスライド変位する可動体６０を有し、該可動体６０に一端を枢支した２本の連動杆６１，６２の一方の端部を右引戸２Ａの外側（戸先側）下部に該連動杆６１が傾斜した状態で枢支し、他方の連動杆６２の端部も同様に傾斜状態で左引戸２Ｃの内側下部（閉止状態において前記中間引戸２Ｂと重なる側の下部）に枢支する。つまり、３枚の引戸２，…が連動杆６１，６２でリンク連結されているので、中間引戸２Ｂは右引戸２Ａ又は左引戸２Ｃの略半分の移動量になる。そして、右引戸２Ａ又は左引戸２Ｃの何れかを開くと、前記可動体６０がガイド溝５９に沿って上昇しながら中間引戸２Ｂを開く方向に移動し、３枚の引戸２，…が前後に重なった状態に開くのである。閉じるときは、前述の逆に動作する。
【００３３】
前記ガイド溝５９は、図２、図１０及び図１２に示すように、中間引戸２Ｂの右側縁（閉止状態において右引戸２Ａと重なる側の側縁）に形成するが、それには前記表面板３６の裏面に、右側縁に沿って案内部材６３を固定して形成する。前記案内部材６３は、上下方向に延びた長尺部材であり、前記中間引戸２Ｂの表面板３６の裏面にスポット溶接で固着する固定板６４の上下中間部の側縁に沿って断面略Ｌ字形のガイド部６５を略直角に折曲形成し、該ガイド部６５は、固定板６４から後方へ直角に折曲した保高板６６と該保高板６６の後縁から直角に折曲した折曲板６７とからなり、該折曲板６７は固定板６４とは反対側に向いている。そして、前記案内部材６３の固定板６４を中間引戸２Ｂの右側縁に沿って表面板３６の裏面に固定し、前記端面板３７及び折曲板３８と、該保高板６６及び折曲板６７とを対向させ、両折曲板３８と折曲板６７との間に隙間を設けて前記ガイド溝５９を構成している。更に、前記ガイド溝５９に対応する中間引戸２Ｂの表面板３６には、縦長のガイド孔６８を形成している。
【００３４】
前記可動体６０は、前記連動杆６１，６２のリンク軸を兼ねており、中央部に前記ガイド溝５９内を転動するコロ６９を有し、該コロ６９の軸部７０の一端部が前記ガイド溝５９の外に延びて前記連動杆６１，６２の端部を枢着するリンク部７１となり、軸部７０の他端部は前記ガイド孔６８を貫通して前記右引戸２Ａの内部に位置し、先端部に該軸部７０より大径のフランジ部７２を設けている。また、図１１に示すように、前記案内部材６３の固定板６４の上下部に、前記ガイド部６５とは反対側に切り起して平面視略Ｌ字形の係止爪７３，７３を設け、上部の係止爪７３は前記ガイド孔６８の最上部を貫通して前記右引戸２Ａの内部に位置し，下部の係止爪７３は前記中間引戸２Ｂの表面板３６に形成した開口７４を貫通して前記右引戸２Ａの内部に位置するように設定している。そして、前記１０及び図１１に示すように、３枚引戸の閉止状態では、前記右引戸２Ａと中間引戸２Ｂの重なり部分において、前記可動体６０のフランジ部７２と前記案内部材６３の係止爪７３，７３が、右引戸２Ａの折曲板３５に係止するように設定している。それにより、手前側の右引戸２Ａを手前に引いたり、奥側の中間引戸２Ｂを奥へ押し込んでも、前記フランジ部７２と係止爪７３，７３が、右引戸２Ａの折曲板３５に係止しているので、右引戸２Ａと中間引戸２Ｂの重なり部分の隙間が開くことがないのである。
【００３５】
また、３枚引戸の閉止状態では、前記中間引戸２Ｂと左引戸２Ｃの重なり部分において、中間引戸２Ｂの裏面側の折曲板３８と、左引戸２Ｃの表面側の折曲板４１が係止して、互いに離れる方向の変位を規制し、つまり手前側の中間引戸２Ｂを手前に引いたり、奥側の左引戸２Ｃを奥へ押し込んでも、両引戸の重なり部分の間隔は広がらない。
【００３６】
そして、３枚の引戸２，…が閉じた状態でロックするための本発明に係る施錠装置を図２、図８、図１０、図１２〜図１４に基づいて説明する。施錠装置は、右引戸２Ａの引手３の近傍に取付けたシリンダー錠７５のデッドボルト７５Ａに一端を係止した施錠杆７６の他端部を、右引戸２Ａの内側端部（閉止状態において中間引戸２Ｂと重なる側の端部）で、引戸を閉じた際に前記ガイド溝５９の下端近傍となる位置に、回動可能に設けたロック用ラッチ７７に連係している。前記シリンダー錠７５の鍵穴７５Ｂは前記表面板３２を貫通して表面に露出して施錠装置の操作部となる。前記ロック用ラッチ７７は、図２及び図１２に示すように、右引戸２Ａの内側端部で表面板３２と端面板３３及び折曲板３５で囲まれる空間を利用して固定した支持具７８に、前記コロ６９の軸部７０と平行な支軸７９にて回動可能に基部を取付けている。ここで、前記ロック用ラッチ７７は、右引戸２Ａの内側端部の奥行厚さ内に設け、つまり右引戸２Ａの内部から突出しないようにしている。前記ロック用ラッチ７７は、上部側にフック状の係止部８０を有し、前記可動体６０のフランジ部７２に係止部８０が係止することによって、前記可動体６０の上昇を規制して、各引戸２，…が開かないようにするのである。尚、引戸の閉止状態では、前述のように、前記可動体６０のフランジ部７２と前記案内部材６３の係止爪７３，７３が、右引戸２Ａの折曲板３５に係止して、前記右引戸２Ａと中間引戸２Ｂの重なり部分の間隔が広がらないようにしているので、その隙間から前記ロック用ラッチ７７を攻撃されてロックを解除される、いわゆるピッキングされる危険性を少なくしている。
【００３７】
前記施錠杆７６の端部は、上向きに直角に折曲した作動部８１となっており、該作動部８１が、前記支持具７８の内部で前記ロック用ラッチ７７の下端部に形成した下向き開放の切欠部８２に係合し、前記シリンダー錠７５の施錠操作によって、前記デッドボルト７５Ａが変位し、前記施錠杆７６が変位すると、図１３の状態から図１４に示す状態に変位し、即ち前記ロック用ラッチ７７が回転して前記可動体６０のフランジ部７２に係止部８０が係止し、該可動体６０の上昇を規制するのである。前記支持具７８は、右引戸２Ａの内側端部の奥行厚さ内に収まっているため、右引戸２Ａと中間引戸２Ｂとの隙間からロック用ラッチ７７へのアクセスが難しくなり、ピッキング攻撃することは困難になる。また、引戸の閉止状態では、右引戸２Ａと中間引戸２Ｂとの隙間には、前記可動体６０の軸部７０のみが現れるが、該軸部７０にピッキング攻撃で外力を加えても、この軸部７０の強度は高く、前記フランジ部７２に対するロック用ラッチ７７の係止部８０の係止が解除されることはない。また、ピッキング攻撃で前記施錠杆７６を撓ませても、前記フランジ部７２に対して係止部８０の係止がより深まる方向へロック用ラッチ７７が回転変位するだけで、その係止が解除されることはない。
【００３８】
ここで、前記右引戸２Ａに設ける連動杆６１は、図２及び図８に示すように、端部が正面視逆へ字状に下方へ屈曲し、更に端部に上方へ膨出した偏心板８３を設け、該偏心板８３を取付金具８４に支軸８５にてリンク連結している。つまり、前記連動杆６１は、閉止状態において前記可動体６０のリンク部７１から戸先側へ下方傾斜した傾斜部６１Ａと戸先側の端部に略水平な水平部６１Ｂからなる正面視逆へ字状であり、更に前記水平部６１Ｂの端部に上方へ膨出した偏心板８３を設けた形状である。こうすることにより、引戸を開放する際に、前記連動杆６１は立ち上がり、右引戸２Ａの取付金具８４や補強縁３４との間隔が狭まるが、誤って右引戸２Ａの端部から裏面側へ指を掛けた状態で引戸を全開しても、該連動杆６と取付金具８４や補強縁３４との間に十分な間隔を確保できるので、指詰めの危険性が無くなる。この指詰め防止の目的においては、前記連動杆６１は、直線の杆体の戸先側の端部に上方へ膨出した偏心板８３を設けた正面視略レ字状の形状でも構わない。尚、前記シリンダー錠７５は、前記取付金具８４を利用して取付ける。
【００３９】
また、下段キャビネットＢは、図１５及び図１６に示すように、構造は前述の上段キャビネットＡと同じであるが、前記引手３と施錠装置を構成するシリンダー錠７５を取付ける位置が操作し易いように上部になる。殆どの部品は、上下に位置をずらせて設けただけであるが、前記シリンダー錠７５を上部に設けたので、上下中央部位置になる支持具７８までの距離が長くなるので、施錠杆７６は長さが長く、屈曲角度が大きなものを用いる。また、前記連動杆６１の枢着位置が、前記シリンダー錠７５の位置から離れるので、両者に共通部材である取付金具８４は右引戸２Ａの上部と中段部に別々に設け、上部の取付金具８４にシリンダー錠７５を取付け、中段の取付金具８４に連動杆６１を枢着している。その他の構成は、前記同様であるので、同一構成には同一符号を付して、その説明は省略する。
【００４０】
尚、本発明は、左引戸２Ｃが手前に位置し、中間引戸２Ｂと右引戸２Ａが順に奥側に位置した構造でも構わないが、その場合には前述の引戸の構造、連動機構及び施錠装置は左右反転した構造になる。
【符号の説明】
【００４１】
Ａ  上段キャビネット、
Ｂ  下段キャビネット、
１  筐体、              ２  引戸、
２Ａ  右引戸（前側引戸）、
２Ｂ  中間引戸、
２Ｃ  左引戸（後側引戸）、
３  引手、              ４  引手枠、
５  操作部材、          ６  ラッチ部材、
７  ラッチ、            ８  凹部、
９  傾斜縁、            １０  端縁部、
１１  段部、            １２  ばね脚、
１３  立壁、            １４  第１レール、
１５  第１ガイド溝、    １６  開口、
１７  指掛け縁、        １８  案内板、
１９  第２レール、      ２０  第２ガイド溝、
２１  当止爪、          ２２  係合凸部、
２３  係合溝部、        ２４  規制板、
２５  基部、            ２６  軸孔、
２７  支軸、            ２８  ばね片、
２９  側縁板、          ３０  閉塞板、
３１  突起、            ３２  表面板、
３３  端面板、          ３４  補強縁、
３５  折曲板、          ３６  表面板、
３７  端面板、          ３８  折曲板、
３９  表面板、          ４０  端面板、
４１  折曲板、          ４２  引手開口部、
４３  保持金具、        ４４  支持板、
４５  係合孔、          ４６  係合爪、
４７  ラッチ受具、      ４８  開口、
４９  突台、            ５０  側框部、
５１  引戸係合溝、      ５２  底面板、
５３  本体部、          ５４  爪部、
５５  角孔、            ５６  嵌合部、
５７  鍔部、            ５８  係合爪、
５９  ガイド溝、        ６０  可動体、
６１  連動杆、          ６２  連動杆、
６３  案内部材、        ６４  固定板、
６５  ガイド部、        ６６  保高板、
６７  折曲板、          ６８  ガイド孔、
６９  コロ、            ７０  軸部、
７１  リンク部、        ７２  フランジ部、
７３  係止爪、          ７４  開口、
７５  シリンダー錠、    ７５Ａ  デッドボルト、
７５Ｂ  鍵穴（操作部）  ７６  施錠杆、
７７  ロック用ラッチ、  ７８  支持具、
７９  支軸、            ８０  係止部、
８１  作動部、          ８２  切欠部、
８３  偏心板、          ８４  取付金具、
８５  支軸。
【図１】
2017082448.tif 000003
【図２】
2017082448.tif 000004
【図３】
2017082448.tif 000005
【図４】
2017082448.tif 000006
【図５】
2017082448.tif 000007
【図６】
2017082448.tif 000008
【図７】
2017082448.tif 000009
【図８】
2017082448.tif 000010
【図９】
2017082448.tif 000011
【図１０】
2017082448.tif 000012
【図１１】
2017082448.tif 000013
【図１２】
2017082448.tif 000014
【図１３】
2017082448.tif 000015
【図１４】
2017082448.tif 000016
【図１５】
2017082448.tif 000017
【図１６】
2017082448.tif 000018